(57)【要約】【課題】現行の自動販売機に安価で容易に搭載可能で盗難被害の抑止効果を確実に得る。【解決手段】自動販売機１０の所望の部位である展示室１０Ａなどにマグネットなどで着脱可能に取り付けられる取付手段２により、様々な盗難警告を行う防犯機能を自動販売機に搭載する。この結果、自動販売機１０を設計変更する必要がなく従前から設置してある現行の自動販売機１０に防犯機能を安価で容易に搭載することができる。また、表示、音、閃光あるいは擬似的な撮影の示唆などの様々な盗難警告を行うことにより、盗難を行おうとする者の意思をそぐので、自動販売機を狙った盗犯被害を抑止する効果を期待することができる。【選択図】        図４
2005071232.tif 000002
【特許請求の範囲】
【請求項１】
自動販売機の所望の部位に着脱可能に取り付けられる取付手段と、盗難警告を行う警告手段とを備えたことを特徴とする自動販売機用防犯装置。
【請求項２】
自動販売機の周辺に人が居ることを検出する人体検出手段を備え、当該人体検出手段による検出に応じて前記警告手段を動作することを特徴とする請求項１に記載の自動販売機用防犯装置。
【請求項３】
前記人体検出手段による検出時間を計時する計時手段を備え、当該計時手段が所定時間の経過を計時したときに前記警告手段を動作することを特徴とする請求項１または２に記載の自動販売機用防犯装置。
【請求項４】
前記警告手段が警告形態の異なる複数の警告部を有し、前記計時手段が所定時間の経過を計時したときにいずれかの警告部により警告を行い、引き続き前記計時手段が所定時間の経過を計時したときに警告部を切り換えあるいは重複することを特徴とする請求項３に記載の自動販売機用防犯装置。
【請求項５】
前記自動販売機に加わる振動を検出する振動検出手段を備え、当該振動検出手段による検出に応じて前記警告手段を動作することを特徴とする請求項１〜４のいずれか一つに記載の自動販売機用防犯装置。
【請求項６】
前記警告手段が警告形態の異なる複数の警告部を有し、前記人体検出手段による検出に応じていずれかの警告部により警告を行い、前記振動検出手段による検出があった場合に前記警告部を切り換えあるいは重複することを特徴とする請求項５に記載の自動販売機用防犯装置。
【請求項７】
前記警告手段は、自動販売機の周辺の撮影を示唆する擬似撮像部を有することを特徴とする請求項１〜６のいずれか一つに記載の自動販売機用防犯装置。
【発明の詳細な説明】
【技術分野】
【０００１】
本発明は、自動販売機用防犯装置に関するものである。
【背景技術】
【０００２】
従来の自動販売機において、自動販売機内部の金銭や商品の盗難を目的とした自動販売機破壊被害が多発している。これらの破壊に対抗するために、外部からの異常行為があったときに自動販売機周辺の状況を撮影した画像データをセンター装置に送信する自動販売機用防犯装置が知られている（例えば、特許文献１参照）。
【０００３】
また、補助施錠装置を有したカバー体によって本施錠装置や開閉ハンドル部を隠蔽する自動販売機用防犯装置が知られている（例えば、特許文献２参照）。
【０００４】
【特許文献１】特開２０００−１４９１１４号公報
【特許文献２】特開２０００−３３６９９５号公報
【発明の開示】
【発明が解決しようとする課題】
【０００５】
しかしながら、従来の自動販売機用防犯装置では、自動販売機を設計変更する必要があるので新規に設置する自動販売機に搭載できるが従前から設置してある自動販売機に搭載することが困難であるという問題があり、また上記設計変更によってコストが嵩む問題がある。なお、自動販売機の表面側に「盗難装置付」などを表記したり、ハンドル部を操作せずに扉が開いたときに警報する安価な対応が考えられるが盗難被害の抑止効果を満足することは難しい。
【０００６】
本発明は、上記実情に鑑みて、現行の自動販売機に安価で容易に搭載可能な構成で盗難被害の抑止効果を確実に得ることができる自動販売機用防犯装置を提供することを目的とする。
【課題を解決するための手段】
【０００７】
上記の目的を達成するために、本発明の請求項１に係る自動販売機用防犯装置は、自動販売機の所望の部位に着脱可能に取り付けられる取付手段と、盗難警告を行う警告手段とを備えたことを特徴とする。
【０００８】
また、本発明の請求項２に係る自動販売機用防犯装置は、上記請求項１において、自動販売機の周辺に人が居ることを検出する人体検出手段を備え、当該人体検出手段による検出に応じて前記警告手段を動作することを特徴とする。
【０００９】
また、本発明の請求項３に係る自動販売機用防犯装置は、上記請求項１または２において、前記人体検出手段による検出時間を計時する計時手段を備え、当該計時手段が所定時間の経過を計時したときに前記警告手段を動作することを特徴とする。
【００１０】
また、本発明の請求項４に係る自動販売機用防犯装置は、上記請求項３において、前記警告手段が警告形態の異なる複数の警告部を有し、前記計時手段が所定時間の経過を計時したときにいずれかの警告部により警告を行い、引き続き前記計時手段が所定時間の経過を計時したときに警告部を切り換えあるいは重複することを特徴とする。
【００１１】
また、本発明の請求項５に係る自動販売機用防犯装置は、上記請求項１〜４のいずれか一つにおいて、前記自動販売機に加わる振動を検出する振動検出手段を備え、当該振動検出手段による検出に応じて前記警告手段を動作することを特徴とする。
【００１２】
また、本発明の請求項６に係る自動販売機用防犯装置は、上記請求項５において、前記警告手段が警告形態の異なる複数の警告部を有し、前記人体検出手段による検出に応じていずれかの警告部により警告を行い、前記振動検出手段による検出があった場合に前記警告部を切り換えあるいは重複することを特徴とする。
【００１３】
また、本発明の請求項７に係る自動販売機用防犯装置は、上記請求項１〜６のいずれか一つにおいて、前記警告手段は、自動販売機の周辺の撮影を示唆する擬似撮像部を有することを特徴とする。
【発明の効果】
【００１４】
本発明に係る自動販売機用防犯装置は、自動販売機の所望の部位に着脱可能に取り付けられる取付手段により、様々な盗難警告を行う防犯機能を自動販売機に搭載できる。この結果、自動販売機を設計変更する必要がなく従前から設置してある現行の自動販売機に防犯機能を安価で容易に搭載することができる。また、様々な盗難警告により盗難を行おうとする者の意思をそぐので自動販売機を狙った盗犯被害を抑止する効果を期待することができる。
【発明を実施するための最良の形態】
【００１５】
以下に添付図面を参照して、本発明に係る自動販売機用防犯装置の好適な実施例を詳細に説明する。なお、この実施例によりこの発明が限定されるものではない。
【実施例】
【００１６】
図１は本発明に係る自動販売機用防犯装置を示す正面図、図２は本発明に係る自動販売機用防犯装置を示す平面図、図３は本発明に係る自動販売機用防犯装置を示す側面図、図４は本発明に係る自動販売機用防犯装置を自動販売機に取り付けた状態を示す正面図、図５は本発明に係る自動販売機用防犯装置の機能ブロック図、図６は警告手段における表示例を示す図である。
【００１７】
図１〜図３に示すように本実施例における自動販売機用防犯装置は、本体ケース１に取付手段２および警告手段３を備えている。
【００１８】
本体ケース１は、その外表部分に取付手段２を設け、内部に警告手段３を内装する筐体を構成してある。
【００１９】
取付手段２は、本体ケース１の背面側に配置してあり、永久磁石あるいは粘着材などからなり、自動販売機の所望の被取付部に対して本体ケース１を着脱可能に取り付けるためのものである。図４に示すように被取付部としては、自動販売機１０において商品見本１１を展示する展示室１０Ａの内部が好ましく、当該展示室１０Ａの内壁に取付手段２を介して本体ケース１を取り付ける。
【００２０】
警告手段３は、本体ケース１の正面側にあらわして配置してあり、表示部３Ａ、出音部３Ｂおよび閃光部３Ｃなどの警告形態が異なる複数の警告部を有している。表示部３Ａは、本体ケース１に内装して当該本体ケース１の正面に表示面を配設したＬＥＤ表示あるいは液晶表示などからなり、盗難警告を示唆する様々な文字表示や図形表示を表示する。また、表示部３Ａは、透光板に盗難警告を示唆する文字や図形が予め印刷してあり、その背面側からＬＥＤなどの発光体が点滅あるいは点灯した光を透過して文字や図形を浮き出すものであってもよい。さらに、表示部３Ａは、ＬＥＤなどの発光体が点滅あるいは点灯するだけでもよい。出音部３Ｂは、本体ケース１に内装して当該本体ケース１の外部に向けて配設したブザーあるいはスピーカなどからなり、盗難警告を示唆する様々な音あるいは音声を発する。閃光部３Ｃは、本体ケース１に内装して当該本体ケース１の正面に発光部を配置したストロボなどからなり、盗難警告を示唆する閃光を発光する。
【００２１】
さらに、警告手段３は、擬似撮像部３Ｄを有している。擬似撮像部３Ｄは、本実施例では本体ケース１の正面側で当該本体ケース１の外部に向けて配置したカメラのレンズなどを疑似してあり、自動販売機１０の周辺の撮影を示唆するものである。その他擬似撮像部３Ｄは、本体ケース１の形状をカメラの形態にしてもよい。
【００２２】
なお、図には明示しないが、電源部は、本体ケース１の内部に収容してある。
【００２３】
また、図５に示すように自動販売機用防犯装置は、人体検出手段４、振動検出手段５、計時手段６、制御手段７を備えている。人体検出手段４は、人体が発する赤外線を受光して検知する赤外線センサなどからなり制御手段７に接続してある。振動検出手段５は、振動や衝撃などを検知する振動センサなどからなり制御手段７に接続してある。計時手段６は、人体検出手段４の検出時間の経過を計るものであり制御手段７に接続してある。また、上記警告手段３の表示部３Ａ、出音部３Ｂおよび閃光部３Ｃも制御手段７に接続してある。
【００２４】
制御手段７は、自動販売機１０の周辺に人が居ることを人体検出手段４からの検知信号により入力して警告手段３による盗難警告を行う。盗難警告としては、警告手段３の表示部３Ａにより図６に示すように「防犯装置作動中」や「インターネット通報装置作動中」、あるいは図には明示しないが「防犯カメラ作動中」などを表示する。また、盗難警告としては、警告手段３の出音部３Ｂにより警告音あるいは警告音声を発する。さらにまた、盗難警告としては、警告手段３の閃光部３Ｃにより閃光を発光する。
【００２５】
また、制御手段７は、自動販売機１０の周辺に人が居ることを人体検出手段４からの検知信号を入力し、当該人体検出手段４の検出時間が、計時手段６において設定した所定時間を経過（例えば３分経過など）したときに警告手段３による盗難警告を行う。なお、図には明示しないが、計時手段６の時間設定は、本体ケース１の外部に設けた設定スイッチや別体のリモコンなどで行われる。
【００２６】
さらに、制御手段７は、人体検出手段４が検出中であって計時手段６が所定時間の経過を計時したときに警告手段３（表示部３Ａ、出音部３Ｂあるいは閃光部３Ｃ）による盗難警告を行い、引き続き人体検出手段４が検出中であって計時手段６がさらなる所定時間の経過を計時したときに表示部３Ａ、出音部３Ｂあるいは閃光部３Ｃを切り換えて盗難警告を行う。例えば、人体検出手段４からの検知信号の入力が３分経過したときに表示部３Ａにより警告を行い、引き続き人体検出手段４からの検知信号の入力が２分経過したときに出音部３Ｂに切り換えて警告を行う。なお、引き続き人体検出手段４が検出中であって計時手段６が所定時間の経過を計時したときに表示部３Ａ、出音部３Ｂおよび閃光部３Ｃを重複して盗難警告を行ってもよい。
【００２７】
一方、制御手段７は、自動販売機１０に加わる振動を振動検出手段５からの検知信号により入力して警告手段３による盗難警告を行う。盗難警告としては、警告手段３の表示部３Ａにより図６に示すように「防犯装置作動中」や「インターネット通報装置作動中」、あるいは図には明示しないが「防犯カメラ作動中」などを表示する。また、盗難警告としては、警告手段３の出音部３Ｂにより警告音あるいは警告音声を発する。さらにまた、盗難警告としては、警告手段３の閃光部３Ｃにより閃光を発光する。
【００２８】
また、制御手段７は、人体検出手段４からの検知信号を入力して警告手段３による盗難警告を行っているときに、振動検出手段５からの検知信号を入力した場合に、上記表示部３Ａ、出音部３Ｂあるいは閃光部３Ｃの警告部を切り換えて盗難警告を行う。例えば、人体検出手段４からの検知信号を入力して表示部３Ａにより警告を行っているときに、振動検出手段５からの検知信号を入力によって出音部３Ｂに切り換えて警告を行う。なお、振動検出手段５からの検知信号を入力によって表示部３Ａ、出音部３Ｂおよび閃光部３Ｃを重複して盗難警告を行ってもよい。
【００２９】
なお、制御手段７は、人体検出手段４あるいは振動検出手段５からの検知信号を入力していないときでも、上述のごとく警告手段３による盗難警告を行い、または、定期的に上記表示部３Ａ、出音部３Ｂおよび閃光部３Ｃの警告部を切り換えて盗難警告を行うことも可能である。
【００３０】
したがって、上述した自動販売機用防犯装置では、自動販売機１０の所望の部位に着脱可能に取り付けられる取付手段２により、様々な盗難警告を行う防犯機能を自動販売機１０に搭載することが可能になる。この結果、自動販売機１０を設計変更する必要がなく従前から設置してある現行の自動販売機１０に防犯機能を安価で容易に搭載することが可能になる。
【００３１】
また、人体検出手段４によって自動販売機１０の周辺に人が居ることを検出して警告手段３を動作するため、盗難を行おうとする者の意思をそぐので、自動販売機１０を狙った盗犯被害を抑止する効果を期待することが可能になる。
【００３２】
また、人体検出手段４による検出中に計時手段６が所定時間の経過を計時したときに警告手段３を動作するため、自動販売機１０を狙った盗犯被害を抑止する効果をさらに期待することが可能になる。
【００３３】
また、警告手段３が警告形態の異なる複数の警告部３Ａ，３Ｂ，３Ｃを有し、人体検出手段４による検出中に計時手段６が計時した経過時間に応じて警告部３Ａ，３Ｂ，３Ｃを切り換えあるいは重複することで、自動販売機１０を狙った盗犯被害を抑止する効果をさらに期待することが可能になる。
【００３４】
また、振動検出手段５によって自動販売機１０に加わる振動を検出して警告手段３を動作するため、自動販売機１０を狙った盗犯被害を抑止する効果をさらに期待することが可能になる。
【００３５】
また、人体検出手段４による検出に応じて警告手段３を動作しているとき、振動検出手段５による検出に応じて警告部３Ａ，３Ｂ，３Ｃを切り換えあるいは重複することで、自動販売機１０を狙った盗犯被害を抑止する効果をさらに期待することが可能になる。
【００３６】
また、自動販売機１０の周辺の撮影を示唆する擬似撮像部３Ｄを有することにより、擬似的な撮影を示唆するので自動販売機１０を狙った盗犯被害を抑止する効果をさらに期待することが可能になる。
【産業上の利用可能性】
【００３７】
以上のように、本発明に係る自動販売機用防犯装置は、現行の自動販売機に安価で容易に防犯機能を搭載することに有用であり、盗難被害の抑止効果を得ることに適している。
【図面の簡単な説明】
【００３８】
【図１】本発明に係る自動販売機用防犯装置を示す正面図である。
【図２】本発明に係る自動販売機用防犯装置を示す平面図である。
【図３】本発明に係る自動販売機用防犯装置を示す側面図である。
【図４】本発明に係る自動販売機用防犯装置を自動販売機に取り付けた状態を示す正面図である。
【図５】本発明に係る自動販売機用防犯装置の機能ブロック図である。
【図６】警告手段における表示例を示す図である。
【符号の説明】
【００３９】
１    本体ケース
２    取付手段
３    警告手段
３Ａ    表示部（警告部）
３Ｂ    出音部（警告部）
３Ｃ    閃光部（警告部）
３Ｄ    擬似撮像部
４    人体検出手段
５    振動検出手段
６    計時手段
７    制御手段
１０    自動販売機
１０Ａ    展示室
１１    商品見本
【図１】
2005071232.tif 000003
【図２】
2005071232.tif 000004
【図３】
2005071232.tif 000005
【図４】
2005071232.tif 000006
【図５】
2005071232.tif 000007
【図６】
2005071232.tif 000008